(57)【要約】【課題】屋上に設置された避雷針を接地させるために上下に隣接するＰＣ柱内に埋設された避雷導体を互いに接続する上で、上階側のＰＣ柱の落とし込みのみにより避雷導体の接続と外気からの保護を可能にし、避雷導体の接続部分回りへのグラウト材の充填を不要にする。【解決手段】上側避雷導体３と下側避雷導体４の少なくともいずれか一方を、それを埋設した一方のＰＣ柱２（１）から突出させ、他方を埋設した他方のＰＣ柱１（２）中に、他方の避雷導体３（４）を接続しながら、その避雷導体３（４）の反対側の端部が開放した導体のスリーブ５を埋設し、スリーブ５の内部に導体材６を固定状態で配置し、スリーブ５内に一方のＰＣ柱柱２（１）から突出した一方の避雷導体４（３）を挿入し、導体材６に接触させる。【選択図】図１
2019015153.tif 000002
【特許請求の範囲】
【請求項１】
上階のプレキャストコンクリート柱と下階のプレキャストコンクリート柱のそれぞれの内部に上側避雷導体と下側避雷導体が埋設され、前記下側避雷導体の上部と前記上側避雷導体の下部の少なくともいずれか一方が、それを埋設した一方の前記プレキャストコンクリート柱から突出し、この突出した前記下側避雷導体と前記上側避雷導体の少なくともいずれか前記一方をその突出した側に位置する他方の前記プレキャストコンクリート柱内の前記上側避雷導体と前記下側避雷導体の少なくともいずれか他方に接続するプレキャストコンクリート柱における避雷導体の接続構造であり、
前記他方のプレキャストコンクリート柱中に、前記上側避雷導体と前記下側避雷導体の少なくともいずれか前記他方が接続されながら、その避雷導体の反対側の端部が開放した導体のスリーブが埋設され、
このスリーブの内部に、少なくとも一部において固定された状態で導体材が配置され、前記一方のプレキャストコンクリート柱から突出した前記下側避雷導体と前記上側避雷導体の少なくともいずれか前記一方が前記スリーブ内に挿入され、前記導体材に接触していることを特徴とするプレキャストコンクリート柱における避雷導体の接続構造。
【請求項２】
前記導体材は弾性変形可能な弾性体であり、前記一方のプレキャストコンクリート柱から突出した前記下側避雷導体と前記上側避雷導体の少なくともいずれか前記一方が前記スリーブ内に挿入されたとき、前記導体材は前記下側避雷導体と前記上側避雷導体の少なくともいずれか前記一方に接触したまま弾性変形することを特徴とする請求項１に記載のプレキャストコンクリート柱における避雷導体の接続構造。
【請求項３】
前記スリーブと、このスリーブ内に挿入される前記下側避雷導体と前記上側避雷導体の少なくともいずれか一方は同軸上に配置されていることを特徴とする請求項１、もしくは請求項２に記載のプレキャストコンクリート柱における避雷導体の接続構造。
【請求項４】
上階のプレキャストコンクリート柱と下階のプレキャストコンクリート柱のそれぞれの内部に上側避雷導体と下側避雷導体が埋設され、前記下側避雷導体の上部と前記上側避雷導体の下部の少なくともいずれか一方が、それを埋設した一方の前記プレキャストコンクリート柱から突出し、この突出した前記下側避雷導体と前記上側避雷導体の少なくともいずれか前記一方をその突出した側に位置する他方の前記プレキャストコンクリート柱内の前記上側避雷導体と前記下側避雷導体の少なくともいずれか他方に接続するプレキャストコンクリート柱における避雷導体の接続方法であり、
前記他方のプレキャストコンクリート柱中に、前記上側避雷導体と前記下側避雷導体の少なくともいずれか前記他方が接続されながら、その避雷導体の反対側の端部が開放した導体のスリーブを埋設し、
このスリーブの内部に、少なくとも一部において固定された状態で導体材を配置しておき、前記一方のプレキャストコンクリート柱から突出した前記下側避雷導体と前記上側避雷導体の少なくともいずれか前記一方を前記スリーブ内に挿入し、前記導体材に接触させることを特徴とするプレキャストコンクリート柱における避雷導体の接続方法。
【発明の詳細な説明】
【技術分野】
【０００１】
本発明はプレキャストコンクリート柱（ＰＣ柱）を用いた建築物において、屋上に設置された避雷針を接地させるために上下に隣接する柱内に埋設された避雷導体を互いに接続したプレキャストコンクリート柱における避雷導体の接続構造、及びその方法に関するものである。
【背景技術】
【０００２】
屋上階の避雷針を接地させる目的で、屋上階で避雷針に接続された最上階の避雷導体に、各階のＰＣ柱内に埋設される避雷導体を接続する場合、上下に隣接するＰＣ柱の接合部においてＰＣ柱同士を接合するときに各ＰＣ柱内の避雷導体を接続することが必要になる（特許文献１、２参照）。
【０００３】
ＰＣ柱内の避雷導体を互いに接続する方法として主に、一端においてコンクリート中の柱主筋に接続され、他端がＰＣ柱の端面から露出、または突出する接続金物を柱主筋の接続部分とは別の位置で互いに接続する、または接触させる方法（特許文献１）と、ＰＣ柱内に主筋と平行に埋設した導電体をＰＣ柱の端部位置で互いに接続する方法（特許文献２）が挙げられる。
【０００４】
前者は上階側のＰＣ柱の落とし込み時に下階側のＰＣ柱の上端面から突出している接続金物に上階側のＰＣ柱に埋設された接続金物を接触させる方法であるが、両接続金物の接触部分は主筋同士を接続するための、グラウト材が充填されるスリーブ内の空間に連通しているため、結果的に両接続金物の接触部分の回りにもグラウト材を充填することが必要になる。この接続金物の回りに充填されるグラウト材は接続金物を被覆し、外気（暴露）から保護する意味がある。ＰＣ柱の軸方向の端面に接続金物が露出している例（図２）においても、接続金物を外気から保護するために接続金物の周囲にグラウト材を充填し、接続金物を被覆することが必要である。
【０００５】
後者の導電体はＰＣ柱の軸方向の端面には露出せず、ＰＣ柱の側面に形成された切欠きに露出しているため、後者の方法ではＰＣ柱同士の接合のみでは導電体同士を接続することができない。この場合、ＰＣ柱の側面から両導電体間に金属板を跨設することにより導電体同士を接続することになるが、金属板を露出させたままにはできないため、切欠き内に金属板を埋めるためのグラウト材を充填することが必要になる。
【先行技術文献】
【特許文献】
【０００６】
【特許文献１】特開２００１−２２７１９９号公報（段落００１８〜００３３、図１、図２）
【特許文献２】特開２０１０−１７４５９０号公報（段落００２６〜００３２、図６〜図９）
【発明の概要】
【発明が解決しようとする課題】
【０００７】
このようにいずれの方法でも上階側のＰＣ柱を下階のＰＣ柱上に落とし込むだけでは避雷導体（接続金物）を互いに接続しながら外気から保護する状態にすることはできず、少なくともグラウト材の充填作業が不可欠であるため、作業数が多く、作業効率が低い。
【０００８】
本発明は上記背景より、上階側のＰＣ柱の落とし込みのみにより避雷導体同士の接続と外気からの保護が行え、グラウト材の充填を不要にするプレキャストコンクリート柱における避雷導体の接続構造及び接続方法を提案するものである。
【課題を解決するための手段】
【０００９】
請求項１に記載の発明のプレキャストコンクリート柱における避雷導体の接続構造は、上階のプレキャストコンクリート柱と下階のプレキャストコンクリート柱のそれぞれの内部に上側避雷導体と下側避雷導体が埋設され、前記下側避雷導体の上部と前記上側避雷導体の下部の少なくともいずれか一方が、それを埋設した一方の前記プレキャストコンクリート柱から突出し、この突出した前記下側避雷導体と前記上側避雷導体の少なくともいずれか前記一方をその突出した側に位置する他方の前記プレキャストコンクリート柱内の前記上側避雷導体と前記下側避雷導体の少なくともいずれか他方に接続するプレキャストコンクリート柱における避雷導体の接続構造であり、
前記他方のプレキャストコンクリート柱中に、前記上側避雷導体と前記下側避雷導体の少なくともいずれか前記他方が接続されながら、その避雷導体の反対側の端部が開放した導体のスリーブが埋設され、このスリーブの内部に、少なくとも一部において固定された状態で導体材が配置され、前記一方のプレキャストコンクリート柱から突出した前記下側避雷導体と前記上側避雷導体の少なくともいずれか前記一方が前記スリーブ内に挿入され、前記導体材に接触していることを構成要件とする。
【００１０】
「下側避雷導体の上部と上側避雷導体の下部の少なくともいずれか一方が、それを埋設した一方のプレキャストコンクリート柱から突出し」とは、図１に示すように下側避雷導体４の上部が下階のプレキャストコンクリート柱（以下、本項目中、ＰＣ柱）２の上端面２ａから突出する場合と、図２に示すように上側避雷導体３の下部が上階のプレキャストコンクリート柱（以下、本項目中、ＰＣ柱）１の下端面１ａから突出する場合と、図３に示すように両避雷導体４、３がそれぞれを埋設したＰＣ柱２、１から突出する場合があることを言う。
【００１１】
図３はＰＣ柱１、２の材軸に直交する断面上（平面上）、下階のＰＣ柱２と上階のＰＣ柱１の互いに異なる位置からそれぞれ下側避雷導体４と上側避雷導体３を突出させ、各避雷導体４、３をその突出した側のＰＣ柱１、２内に埋設されたスリーブ５、５内に挿入させた場合の例を示す。突出する下側避雷導体４と上側避雷導体３の平面上の位置が相違することに対応し、各ＰＣ柱１、２に埋設されるスリーブ５、５の位置も相違する。突出した下側避雷導体４は上階のＰＣ柱１のスリーブ５内の導体材６に接触し、突出した上側避雷導体３は下階のＰＣ柱２のスリーブ５内の導体材６に接触する。
【００１２】
この他、各ＰＣ柱１、２の、その材軸に直交する断面上（平面上）、重なり得る位置にスリーブ５、５を埋設し、上側避雷導体３を、上階のＰＣ柱１のスリーブ５を挿通させて下端面１ａから突出させ、下階のＰＣ柱２のスリーブ５内の導体材６に接触させる一方、下側避雷導体４を、下階のＰＣ柱２のスリーブ５を挿通させて上端面２ａから突出させ、上階のＰＣ柱１のスリーブ５内の導体材６に接触させることもある。
【００１３】
避雷導体４、３は各ＰＣ柱２（１）内に配筋される主筋を兼ねない場合と、主筋を兼ねる場合がある。前者の場合、避雷導体４、３は主筋と干渉しない領域に、主筋とは別に埋設される。前者の場合、ＰＣ柱２、１軸方向の、避雷導体４、３間での引張力伝達の必要はないため、スリーブ５内へのモルタル等の充填の必要性はないが、後者の場合には主筋として機能する避雷導体４、３間で引張力を伝達させる必要があるため、スリーブ５内にモルタル等を充填する等の作業が必要になることもある。
【００１４】
避雷導体４（３）が突出した側に位置する他方のＰＣ柱１（２）の内部にスリーブ５が埋設され、スリーブ５の開放した端部（端面）が他方のＰＣ柱１（２）の下端面１ａ、または上端面２ａに面する。スリーブ５の、開放した端部の反対側の端部等、開放した端部以外の部分には、スリーブ５を埋設した他方のＰＣ柱１（２）の内部に埋設された他方の避雷導体３（４）が溶接等により導通可能に接続されている。
【００１５】
スリーブ５が図１に示すように上階のＰＣ柱１に埋設される場合、スリーブ５はＰＣ柱１の下端部に埋設され、スリーブ５の下端部がＰＣ柱１の下端面１ａに位置する。図２に示すようにスリーブ５が下階のＰＣ柱２に埋設される場合、スリーブ５はＰＣ柱２の上端部に埋設され、スリーブ５の上端部がＰＣ柱２の上端面２ａに位置する。スリーブ５の開放した下端面、または上端面はＰＣ柱１、２の下端面１ａ、または上端面２ａに合致している（面一である）必要はない。
【００１６】
但し、スリーブ５は両ＰＣ柱１、２の接合後にスリーブ５の内部に挿入される避雷導体４（３）を外気から保護する役目を果たすため、上階のＰＣ柱１の下階のＰＣ柱２への接合状態では、後述の充填材の存在によりスリーブ５の内部は外気から遮断された状態になる。
【００１７】
上階のＰＣ柱１は下階のＰＣ柱２に直接、接合される場合と、図示するようにスラブ７を挟んで接合される場合があるが、直接、接合される場合とスラブ７を挟んで接合される場合のいずれも、ＰＣ柱１の下端面１ａとＰＣ柱２の上端面２ａ間には図示しないレベル調整用のモルタル等の充填材が充填されるため、この充填材がスリーブ５の内部を外気から遮断する。充填材は基本的（避雷導体４、３が主筋を兼ねない場合）にはスリーブ５の開放した端面（開口部）をその周囲の空間から閉塞（遮断）すればよく、スリーブ５の内部に充填される必要はないため、両ＰＣ柱１、２の接合後の充填材の充填作業は発生しない。避雷導体４、３が主筋を兼ねる場合には、上記のようにスリーブ５内への充填材の充填を要することもある。
【００１８】
スリーブ５の開放した端部（端面）からは、一方のＰＣ柱２（１）から突出した一方の避雷導体４（３）が挿入され、スリーブ５の内部に配置された導体材６に接触することで、他方の避雷導体３（４）と一方の避雷導体４（３）が、すなわち上階のＰＣ柱１内の上側避雷導体３と下階のＰＣ柱２内の下側避雷導体４が導体のスリーブ５を通じて導通可能な状態になる。上側避雷導体３と下側避雷導体４、及びスリーブ５と導体材６には導体として銅、アルミニウム等が使用されるが、材料は問われない。
【００１９】
導体材６は少なくとも一部においてスリーブ５内で移動しない固定状態に配置され、スリーブ５への固定部分以外の部分は例えば固定部分に対して弾性変形可能な状態にある。導体材６は弾性変形可能でない場合もあるが、その場合、図４に示すようにスリーブ５内に挿入される一方の避雷導体４（３）の一部がスリーブ５内で弾性変形可能であることもある。
【００２０】
以上のように導体であるスリーブ５の開放した端部からスリーブ５内に一方の避雷導体４（３）を挿入するだけで、一方の避雷導体４（３）がスリーブ５内の導体材６に接触し、他方の避雷導体３（４）と一方の避雷導体４（３）が間接的に接続されて導通可能になるため、上階のＰＣ柱１内の上側避雷導体３と下階のＰＣ柱２内の下側避雷導体４の個別の接続作業が不要になる。「スリーブ５内に一方の避雷導体４（３）を挿入すること」は、上階のＰＣ柱１を下階のＰＣ柱２上に落とし込むことにより行われるため、上階のＰＣ柱１を下階のＰＣ柱２の上端面２ａ上に単に設置するだけで両避雷導体３、４が接続された状態になる。
【００２１】
またスリーブ５の端部が、その内部に挿入される一方の避雷導体４（３）を、両ＰＣ柱１、２間に充填される充填材により外気から遮断することで、スリーブ５内への充填材の充填作業が生じないため、各ＰＣ柱１、２内の避雷導体３、４を互いに接続しながら、外気から保護するための作業数が削減され、作業効率が向上する。
【００２２】
スリーブ５内の導体材６に一方の避雷導体４（３）が接触することは、具体的には導体材６が弾性変形可能な弾性体であることにより（請求項２）、または一方の避雷導体４（３）がスリーブ５と同軸上に配置されることにより（請求項３）可能になる。
【００２３】
導体材６が弾性変形可能な弾性体である場合、例えば導体材６は、一方のプレキャストコンクリート柱２（１）から突出した下側避雷導体４と上側避雷導体３の少なくともいずれか一方がスリーブ５内に挿入されたとき、下側避雷導体４と上側避雷導体３の少なくともいずれか一方に接触したまま弾性変形する（請求項２）。導体材６が弾性変形することで、その復元力が常に一方の避雷導体４（３）に作用するため、接触状態が維持され易く、導通状態の安定性が高まる。
【００２４】
この場合、導体材６はスリーブ５を軸方向に見たときの、スリーブ５の中心（軸）側へスリーブ５の内周面から張り出し、周囲においてスリーブ５の内周面に溶接、接着等により固定され、固定部分以外の部分が固定部分に対して弾性変形する。「スリーブ５の内周面」はスリーブ５の軸方向を向いた下面、もしくは上面以外の、周回する面を指す。
【００２５】
スリーブ５を軸方向に見たとき、導体材６は下側避雷導体４と上側避雷導体３の少なくともいずれか一方が重なる位置まで張り出すか、重なる大きさを持つ。この場合、導体材６はスリーブ５内に挿入された下側避雷導体４、または上側避雷導体３がその軸方向に突き当たることにより容易に弾性変形可能な柔軟性を持つ。下側避雷導体４、または上側避雷導体３は導体材６に接触した状態を維持できればよいため、必ずしも直線状態を維持する必要はなく、弾性変形して湾曲することもある。スリーブ５の内周面から張り出す導体材６の枚数は任意であり、１枚の場合と複数枚の場合がある。
【００２６】
一方の避雷導体４（３）がスリーブ５と同軸上に配置されること（請求項３）は、避雷導体４（３）の軸心とスリーブ５の軸心が実質的に同一線上に位置することを言う。避雷導体４（３）がスリーブ５と同軸上に配置されることで、下階のＰＣ柱２に上階のＰＣ柱１を突き合わせて接合しようとするときに、設計上、避雷導体４（３）の軸心がスリーブ５の軸心に一致する。従ってスリーブ５内の予め決められた位置に導体材６を固定しておけば、導体材６に避雷導体４（３）を接触させ易くなる。
【００２７】
この他、図４に示すように例えば複数枚、または複数本の導体材６がスリーブ５内周の軸方向を向いた下面、もしくは上面に並列して固定されているような場合で、スリーブ５内に入り込む避雷導体４（３）の区間がスリーブ５の軸方向長さより幾らか大きい場合には、避雷導体４（３）がスリーブ５内に納まったときに避雷導体４（３）をスリーブ５内の下面、もしくは上面に突き当てて弾性変形させることができるため、いずれかの導体材６に避雷導体４（３）を接触させ易くなる意味もある。
【００２８】
一方のＰＣ柱２（１）に対し、他方のＰＣ柱１（２）を接続する手順は接続方法の発明となる（請求項４）。具体的には他方のＰＣ柱１（２）中に、上側避雷導体３と下側避雷導体４の少なくともいずれか他方が接続されながら、その避雷導体３（４）の反対側の端部が開放した導体のスリーブ５を埋設し、このスリーブ５の内部に、少なくとも一部において固定された状態で導体材６を配置しておき、一方のＰＣ柱柱２（１）から突出した下側避雷導体４と上側避雷導体３の少なくともいずれか一方をスリーブ５内に挿入し、導体材６に接触させることにより一方のＰＣ柱２（１）への他方のＰＣ柱１（２）の接合と同時に、両避雷導体３、４の接続が行われる。
【発明の効果】
【００２９】
導体のスリーブの開放した端部からスリーブ内に一方の避雷導体を挿入するだけで、一方の避雷導体がスリーブ内の導体材に接触し、他方の避雷導体と一方の避雷導体が導通可能になるため、上階のＰＣ柱内の上側避雷導体と下階のＰＣ柱内の下側避雷導体の個別の接続作業を不要にすることができる。
【００３０】
またスリーブの端部が、内部に挿入される一方の避雷導体を、両ＰＣ柱間に充填される充填材により外気から遮断することで、ＰＣ柱接合後のスリーブ５内への充填材の充填作業を不要にするため、各ＰＣ柱内の避雷導体を接続しながら保護するための作業数が削減され、作業効率を向上させることができる。
【図面の簡単な説明】
【００３１】
【図１】（ａ）はスリーブを上階のＰＣ柱に埋設した場合に、スラブを挟んで下階のＰＣ柱上に上階のＰＣ柱を建て込むときの様子を示した縦断面図、（ｂ）はスラブを挟んで下階のＰＣ柱に上階のＰＣ柱を接合したときの様子を示した縦断面図である。
【図２】（ａ）はスリーブを下階のＰＣ柱に埋設した場合に、スラブを挟んで下階のＰＣ柱上に上階のＰＣ柱を建て込むときの様子を示した縦断面図、（ｂ）はスラブを挟んで下階のＰＣ柱に上階のＰＣ柱を接合したときの様子を示した縦断面図である。
【図３】対になる一組の下階のＰＣ柱と上階のＰＣ柱間において、下階のＰＣ柱から突出する下側避雷導体を上階のＰＣ柱に埋設されたスリーブ内の導体材に接触させ、上階のＰＣ柱から突出する上側避雷導体を下階のＰＣ柱に埋設されたスリーブ内の導体材に接触させた場合のＰＣ柱の組み合わせ例を示した縦断面図である。
【図４】下階のＰＣ柱から突出した下側避雷導体をスリーブ内で湾曲させて導体材に接触させた場合の例を示した縦断面図である。
【発明を実施するための形態】
【００３２】
図１は内部に上側避雷導体３と下側避雷導体４がそれぞれ埋設され上階のプレキャストコンクリート柱（以下、ＰＣ柱）１と下階のプレキャストコンクリート柱（以下、ＰＣ柱）２を互いに接合することにより上側避雷導体３と下側避雷導体４を互いに接続した接続構造の具体例を示す。
【００３３】
下側避雷導体４の上部と上側避雷導体３の下部の少なくともいずれか一方は、それを埋設した一方のＰＣ柱２（１）から突出し、この突出した少なくともいずれか一方の避雷導体４（３）が、その突出した側に位置する他方のＰＣ柱１（２）内の少なくともいずれか他方の避雷導体３（４）にスリーブ５を介して接続される。
【００３４】
図面ではＰＣ柱１、２と避雷導体３、４、及びスリーブ５を概略的に示しているが、スリーブ５は実際には例えばＰＣ柱１、２内に配筋される図示しない主筋を接続するための継手用のスリーブより細く、継手用のスリーブのＰＣ柱１、２への埋設に影響する程の太さはない。スリーブ５は外気から保護されるよう、他方のＰＣ柱１（２）の、軸方向の端面を除く側面に露出しない位置に埋設される。ＰＣ柱１、２内の避雷導体３、４は各ＰＣ柱１、２の主筋を兼ねる働きを持つこともある。
【００３５】
上記の他方の避雷導体３（４））を埋設した他方のＰＣ柱１（２）中に、上側避雷導体３と下側避雷導体４の少なくともいずれか他方（他方の避雷導体３（４））が接続されながら、その他方の避雷導体３（４）の反対側の端部（端面）が開放した導体のスリーブ５が埋設されている。スリーブ５の内部に少なくとも一部において固定された状態で導体材６が配置されている。スリーブ５内には一方のプレキャストコンクリート柱２（１）から突出した上記の一方の避雷導体４（３）が挿入され、導体材６に接触する。
【００３６】
図１は下側避雷導体４の上部が、それを埋設した下階のＰＣ柱２の上端面２ａから上階のＰＣ柱１側へ突出し、上階のＰＣ柱１の下端部内にスリーブ５が埋設された場合の例を示す。図１はまた、導体材６が弾性変形可能な弾性体である場合の例でもある。この例では下階のＰＣ柱２から突出した下側避雷導体４がスリーブ５内に挿入されたとき、導体材６は下側避雷導体４に接触したまま弾性変形する。
【００３７】
図２は上側避雷導体３の下部が、それを埋設した上階のＰＣ柱１の下端面１ａから下階のＰＣ柱２側へ突出し、下階のＰＣ柱２の上端部内にスリーブ５が埋設された場合の例を示す。図２も導体材６が弾性変形可能な弾性体である場合の例を示している。この例でも上階のＰＣ柱１から突出した上側避雷導体３がスリーブ５内に挿入されたとき、導体材６は上側避雷導体３に接触したまま弾性変形する。
【００３８】
スリーブ５の、一方のＰＣ柱２（１）から突出した一方の避雷導体４（３）側の端部はその一方の避雷導体４（３）が挿入可能なように開放し、内部は中空になっている。上階のＰＣ柱１内に埋設されたスリーブ５は図１に示すように下端側が開放し、下階のＰＣ柱２内に埋設されたスリーブ５は図２に示すように上端側が開放する。
【００３９】
スリーブ５が上階のＰＣ柱１に埋設された図１に示す例の場合、スリーブ５の開放した端面側の端部はそれを埋設した上階のＰＣ柱１の下端面１ａに揃えられるか、それに近い状態でＰＣ柱１中に埋設される。
【００４０】
上階のＰＣ柱１が下階のＰＣ柱２に直接、接合される場合も、図示するようにスラブ７を介して接合される場合も、両ＰＣ柱１、２の端面１ａ、２ａ間には図示しないレベル調整用のモルタル等の充填材が充填され、上階のＰＣ柱１の落とし込み時に充填材がスリーブ５の周囲で均される。この結果、スリーブ５の内部が充填材の存在によりＰＣ柱１、２の外部から遮断されるため、避雷導体３、４が各ＰＣ柱１、２の主筋を兼ねない場合には、スリーブ５内に挿入される一方の避雷導体４（３）と導体材６の保護のためにスリーブ５内に充填材を充填する必要性は生じない。
【００４１】
導体材６は図１、図２に示すようにスリーブ５内部の開放した端面の反対側の端面を除く内周面、または図４に示すようにその端面にスリーブ５側の一部において溶接等により固定される。
【００４２】
図１、図２では少なくとも２枚の導体材６、６が、スリーブ５の軸方向に段差が付いてスリーブ５の内周面に固定された場合の例を示しているが、スリーブ５に固定される導体材６の枚数は任意である。導体材６はスリーブ５の内周面側の周囲（外周）部分においてスリーブ５の内周面に溶接等により固定され、周囲以外の部分が弾性変形可能である場合には、周囲部分以外の部分が固定部分に対して弾性変形可能な状態になる。
【００４３】
この場合、複数枚の導体材６、６の周囲（外周）部分の反対側の内周側の部分は、スリーブ５の軸方向に見たときの平面上、互いに重なり合い、その重なり合った部分に、スリーブ５内に挿入される一方の避雷導体４（３）が接触し、各図の（ｂ）に示すように導体材６、６が弾性変形する。
【００４４】
図３は対になる一組の下階のＰＣ柱２と上階のＰＣ柱１間において、下階のＰＣ柱２の上端面２ａから下側避雷導体４を突出させると共に、上階のＰＣ柱１の下端面１ａから上側避雷導体３を突出させ、それぞれの突出側のＰＣ柱１、２内に埋設されたスリーブ５内の導体材６に下側避雷導体４と上側避雷導体３を接触させた場合の例を示し、図１に示す例と図２に示す例の組み合わせ例に相当する。
【００４５】
図４はスリーブ５と、スリーブ５内に挿入される一方の避雷導体４（３）が実質的に同軸上に配置されている場合の例を示す。図４はまた、上記のようにスリーブ５内部の、開放した端面の反対側の端面に複数枚、または複数本の導体材６、６をスリーブ５の軸方向に向け、スリーブ５の軸方向に直交する方向（幅方向）に並列させて固定した場合の例を示している。
【００４６】
この場合、スリーブ５内に挿入される一方の避雷導体４（３）は複数枚等の導体材６の内、いずれか２枚等の導体材６、６間に差し込まれ、そのまま少なくともいずれか一方の導体材６に接触する。
【００４７】
または図４に示すようにスリーブ５内部の端面に一方の避雷導体４（３）の先端が接触（衝突）し、一方の避雷導体４（３）の先端側の部分が屈曲、または湾曲して少なくともいずれか一方の導体材６に接触する。図４は一方の避雷導体４（３）である下側避雷導体４の上端部が弾性変形して湾曲している状況を示している。
【符号の説明】
【００４８】
１……上階のプレキャストコンクリート柱（ＰＣ柱）、１ａ……下端面、
２……下階のプレキャストコンクリート柱（ＰＣ柱）、２ａ……上端面、
３……上側避雷導体、
４……下側避雷導体、
５……スリーブ、
６……導体材、
７……スラブ。
【図１】
2019015153.tif 000003
【図２】
2019015153.tif 000004
【図３】
2019015153.tif 000005
【図４】
2019015153.tif 000006